(57)【要約】【課題】コネクタ部における短絡及び漏電を確実に防ぐことが可能なリールコントローラ及び電動リールを提供する。【解決手段】本発明のコントローラ３０には、防水ケース２０を内外に貫通する複数の接続端子４５Ａ，４５Ｂ，４５Ｃと防水ケース２０内の駆動制御基板３５との間を連絡する複数の中継ライン５０，５１，５２の途中に、Ａ接点スイッチ４２Ａ，４２Ｂ，４２Ｃが接続されている。また、Ａ接点スイッチ４２Ａ，４２Ｂ，４２Ｃをオン状態に切り替えるための切替入力部４１が接続端子４５Ａに接続されている。そして、外部機器９０がコントローラ３０にコネクタ結合されて、接続端子４５Ａ，４５Ｂ，４５Ｃに接続されることで切替入力部４１に切替用電圧が印加され、Ａ接点スイッチ４２Ａ，４２Ｂ，４２Ｃがオン状態に切り替わる。【選択図】図２
2018019618.tif 000002
【特許請求の範囲】
【請求項１】
電動リール（１０）に組み込まれるリールコントローラ（３０）であって、
防水ケース（２０）と、
前記防水ケース（２０）内に収容される制御部（３５）と、
前記防水ケース（２０）を内外に貫通し、一端には、前記制御部（３５）が接続され、他端には、前記防水ケース（２０）外で外部機器（９０）に接続される複数の接続端子（４５Ａ，４５Ｂ，４５Ｃ，４５Ｄ）が備えられている複数の中継ライン（５０，５１，５２，５３）と、
前記外部機器（９０）に結合され、前記複数の接続端子（４５Ａ，４５Ｂ，４５Ｃ，４５Ｄ）を前記外部機器（９０）に接続された状態に保持するコネクタ部（４５）と、
少なくとも一部の前記中継ライン（５０，５１，５２）の途中に接続され、通常は、オフ状態になっているＡ接点スイッチ（４２Ａ，４２Ｂ，４２Ｃ）と、前記Ａ接点スイッチ（４２Ａ，４２Ｂ，４２Ｃ）をオン状態に切り替えるための切替用電圧を受ける切替入力部（４１）とを有するスイッチ回路（４０）と、
少なくとも一部の前記接続端子（４５Ａ）と前記切替入力部（４１）との間を接続し、前記コネクタ部（４５）に結合される前記外部機器（９０）から前記切替用電圧を前記切替入力部（４１）へと取り込む導入ライン（４４）とを備えるリールコントローラ（３０）。
【請求項２】
前記スイッチ回路（４０）には、前記複数の中継ライン（５０，５１，５２）の途中に接続された複数の前記Ａ接点スイッチ（４２Ａ，４２Ｂ，４２Ｃ）と、それら複数のＡ接点スイッチ（４２Ａ，４２Ｂ，４２Ｃ）を併せて切り替える前記切替入力部（４１）が備えられ、前記導入ライン（４４）により１つの前記接続端子（４５Ａ）が前記切替入力部（４１）に接続されている請求項１に記載のリールコントローラ（３０）。
【請求項３】
前記複数の中継ライン（５０，５１，５２，５３）は、電力ライン（５０）と信号ライン（５１，５２）とを含んでなり、前記導入ライン（４４）により前記電力ライン（５０）の前記接続端子（４５Ａ）が前記切替入力部（４１）に接続されている請求項２に記載のリールコントローラ（３０）。
【請求項４】
前記スイッチ回路（４０）は、アナログスイッチＩＣ（４０）である請求項１乃至３の何れか１の請求項に記載のリールコントローラ（３０）。
【請求項５】
請求項１乃至４の何れか１の請求項に記載のリールコントローラ（３０）を備える電動リール（１０）。
【発明の詳細な説明】
【技術分野】
【０００１】
本発明は、電動リール及び、電動リールの一部を構成するリールコントローラに関する。
【背景技術】
【０００２】
従来のリールコントローラとして、防水ケースに収容された制御部を有するものが知られている（例えば、特許文献１参照）。また、近年、防水ケースの外部に通信用のコネクタ部を備えたリールコントローラの開発が求められている。この種のリールコントローラでは、釣具店等においてコネクタ部に外部機器が接続されて、制御部と外部機器との間で通信可能となる。なお、制御部と外部機器との間を通信可能とした際には、例えば、制御部のＲＯＭに記憶されている制御プログラムや設定値の変更等を行うことが考えられる。
【先行技術文献】
【特許文献】
【０００３】
【特許文献１】特開２０１６−００７１８４号公報（段落［００２４］）
【発明の概要】
【発明が解決しようとする課題】
【０００４】
しかしながら、単に防水ケースの外部にコネクタ部を配しただけでは、コネクタ部に備えた接続端子同士が海水に浸かって短絡し、漏電や制御部の回路の損傷等の問題が起こり得る。また、そのような問題を防ぐためにコネクタ部に強固な防水キャップを取り付けた構成とすると、リールコントローラが嵩張るという問題が生じ得る。
【０００５】
本発明は、上記事情に鑑みてなされたもので、コネクタ部における短絡及び漏電を確実に防ぐことが可能なリールコントローラ及び電動リールの提供を目的とする。
【課題を解決するための手段】
【０００６】
上記目的を達成するためになされた請求項１の発明は、電動リール（１０）に組み込まれるリールコントローラ（３０）であって、防水ケース（２０）と、前記防水ケース（２０）内に収容される制御部（３５）と、前記防水ケース（２０）を内外に貫通し、一端には、前記制御部（３５）が接続され、他端には、前記防水ケース（２０）外で外部機器（９０）に接続される複数の接続端子（４５Ａ，４５Ｂ，４５Ｃ，４５Ｄ）が備えられている複数の中継ライン（５０，５１，５２，５３）と、前記外部機器（９０）に結合され、前記複数の接続端子（４５Ａ，４５Ｂ，４５Ｃ，４５Ｄ）を前記外部機器（９０）に接続された状態に保持するコネクタ部（４５）と、少なくとも一部の前記中継ライン（５０，５１，５２）の途中に接続され、通常は、オフ状態になっているＡ接点スイッチ（４２Ａ，４２Ｂ，４２Ｃ）と、前記Ａ接点スイッチ（４２Ａ，４２Ｂ，４２Ｃ）をオン状態に切り替えるための切替用電圧を受ける切替入力部（４１）とを有するスイッチ回路（４０）と、少なくとも一部の前記接続端子（４５Ａ）と前記切替入力部（４１）との間を接続し、前記コネクタ部（４５）に結合される前記外部機器（９０）から前記切替用電圧を前記切替入力部（４１）へと取り込む導入ライン（４４）とを備えるリールコントローラ（３０）である。
【０００７】
請求項２の発明は、前記スイッチ回路（４０）には、前記複数の中継ライン（５０，５１，５２）の途中に接続された複数の前記Ａ接点スイッチ（４２Ａ，４２Ｂ，４２Ｃ）と、それら複数のＡ接点スイッチ（４２Ａ，４２Ｂ，４２Ｃ）を併せて切り替える前記切替入力部（４１）が備えられ、前記導入ライン（４４）により１つの前記接続端子（４５Ａ）が前記切替入力部（４１）に接続されている請求項１に記載のリールコントローラ（３０）である。
【０００８】
請求項３の発明は、前記複数の中継ライン（５０，５１，５２，５３）は、電力ライン（５０）と信号ライン（５１，５２）とを含んでなり、前記導入ライン（４４）により前記電力ライン（５０）の前記接続端子（４５Ａ）が前記切替入力部（４１）に接続されている請求項２に記載のリールコントローラ（３０）である。
【０００９】
請求項４の発明は、前記スイッチ回路（４０）は、アナログスイッチＩＣ（４０）である請求項１乃至３の何れか１の請求項に記載のリールコントローラ（３０）である。
【００１０】
請求項５の発明は、請求項１乃至４の何れか１の請求項に記載のリールコントローラ（３０）を備える電動リール（１０）である。
【発明の効果】
【００１１】
本発明のリールコントローラ（３０）及び電動リール（１０）では、コネクタ部（４５）と制御部（３５）との間を連絡する中継ライン（５０，５１，５２）にＡ接点スイッチ（４２Ａ，４２Ｂ，４２Ｃ）が設けられ、その又はそれらＡ接点スイッチ（４２Ａ，４２Ｂ，４２Ｃ）をオン状態に切り替えるための切替入力部（４１）が、コネクタ部（４５）の接続端子（４５Ａ）に接続されている。これにより、外部機器（９０）がコネクタ部（４５）に結合されると、外部機器（９０）から接続端子（４５Ａ）に付与される電圧が切替用電圧として切替入力部（４１）に印加され、Ａ接点スイッチ（４２Ａ，４２Ｂ，４２Ｃ）がオン状態になり、外部機器（９０）と制御部（３５）とが接続される。そして、外部機器（９０）がコネクタ部（４５）から外されると、切替用電圧が切替入力部（４１）に印加されなくなって、Ａ接点スイッチ（４２Ａ，４２Ｂ，４２Ｃ）がオフ状態になり、コネクタ部（４５）における短絡及び漏電が確実に防がれる。
【００１２】
ここで、Ａ接点スイッチ（４２Ａ，４２Ｂ，４２Ｃ）は、複数の中継ラインのうちの１つのみに設けてもよいし、請求項２の発明のように、複数の中継ライン（５０，５１，５２）の全部又は一部複数に設けてもよい。請求項２の発明のように、複数のＡ接点スイッチ（４２Ａ，４２Ｂ，４２Ｃ）を設ける場合には、それらを併せて切り替える切替入力部（４１）を備えて、１つの接続端子（４５Ａ）に接続した構成とすることで、例えば、外部機器（９０）がコネクタ部（４５）に接続されている間は、１つの接続端子（４５Ａ）に切替用電圧となる電圧が印加され続ける状態にして、複数のＡ接点スイッチ（４２Ａ，４２Ｂ，４２Ｃ）をオン状態に保ち、外部機器（９０）と制御部（３５）との間の接続状態を安定させることができる。
【００１３】
具体的には、請求項３の発明のように、複数の中継ライン（５０，５１，５２，５３）が電力ライン（５０）と信号ライン（５１，５２）とを含んでなる場合に、電力ライン（５０）の接続端子（４５Ａ）を切替入力部（４１）に接続すれば、制御部（３５）が外部機器（９０）から受電する電力を利用して、複数のＡ接点スイッチ（４２Ａ，４２Ｂ，４２Ｃ）をオン状態に保持することができ、信号ライン（５１，５２）を通して外部機器（９０）と制御部（３５）との間で安定した通信を行うことができる。また、複数の中継ラインが複数の信号ラインを含んでいる場合には、１つの信号ラインの接続端子を切替入力部に接続して、外部機器からの制御信号によって複数のＡ接点スイッチをオン状態に保持し、他の信号ラインを使用して外部機器と制御部との間で安定した通信を行うことができる。
【００１４】
さらに、請求項４の発明のように、スイッチ回路（４０）としてアナログスイッチＩＣ（４０）を使用すれば、リールコントローラ（３０）及び電動リール（１０）をコンパクトにすることができる。
【図面の簡単な説明】
【００１５】
【図１】本発明の一実施形態に係る電動リールの斜視図
【図２】リールコントローラのブロック図
【図３】外部機器が接続された状態のリールコントローラのブロック図
【図４】アナログスイッチＩＣの概要図
【図５】変形例に係るリールコントローラのアナログスイッチＩＣ付近のブロック図
【発明を実施するための形態】
【００１６】
以下、本発明の一実施形態を図１〜図４に基づいて説明する。図１には、本発明の電動リール１０の全体が示されている。電動リール１０は、図示しない釣り竿に取り付け可能なボディ１１と、そのボディ１１に回転可能に支持されたスプール１２とを備えている。ボディ１１の内部（本実施形態では左側内部）には、スプール１２を駆動するためのモータ７５（図２参照）、クラッチ機構（図示せず）等が収容されている。また、ボディ１１の正面中央には、モータ操作レバー７５Ｒが備えられ、ボディ１１の一側面（本実施形態では右側面）には、巻き取りハンドル１３が備えられている。
【００１７】
リールコントローラ３０は、モータ駆動回路７４，液晶表示器７２等（図２参照）の電気回路を防水ケース２０内に防水状態に収容してなる。また、リールコントローラ３０の上面には、液晶表示器７２を視認するための表示窓２１と３つの操作ボタン２２とが備えられている。そして、リールコントローラ３０が、ボディ１１内に組み付けられて、表示窓２１と操作ボタン２２とがボディ１１の上面に露出している。なお、操作ボタン２２の操作によって液晶表示器７２における表示内容及び電動リール１０の各種設定を変更することができる。
【００１８】
防水ケース２０における液晶表示器７２の下方には、駆動制御基板３５（本発明の「制御部」に相当する。図２参照）と二次電池３８（図２参照）とが収容されている。図２に示すように、駆動制御基板３５には、ＣＰＵ３５Ａ、ＲＯＭ３５Ｂ、ＲＡＭ３５Ｃと共に、液晶制御回路７１及びモータ駆動回路７４が実装され、それら液晶制御回路７１及びモータ駆動回路７４に液晶表示器７２及びモータ７５が接続される。そして、ＲＯＭ３５Ｂに記憶された制御プログラムや設定値等、及び、操作ボタン２２の操作情報に基づいて、ＣＰＵ３５Ａが液晶制御回路７１及びモータ駆動回路７４を介して液晶表示器７２及びモータ７５を制御する。
【００１９】
防水ケース２０の外面には、通常、釣船に備えられた外部電源７０に接続するための受電用コネクタ部３９と、釣具メーカーや釣具店等に備えた外部機器９０と接続するための通信用コネクタ部４５（本発明の「コネクタ部」に相当する）とが備えられている。また、防水ケース２０内には、駆動制御基板３５に接続されている電力ライン５０、信号ライン５１，５２及びＧＮＤライン５３（本発明の「中継ライン」に相当する）が延びていて、それら電力ライン５０、信号ライン５１，５２及びＧＮＤライン５３の末端に備えられた接続端子が、防水ケース２０を防水状態に貫通して上記受電用及び通信用のコネクタ部３９，４５に配置されている。また、ＧＮＤライン５３は、防水ケース２０内のＧＮＤに接続されている。
【００２０】
なお、接続端子が防水ケース２０を防水状態に貫通する構成としては、例えば、接続端子を配置した後、接続端子と防水ケース２０との間を樹脂等で埋める構成、防水ケース２０に予め設けられた孔に接続端子を圧入する構成等が挙げられる。
【００２１】
受電用コネクタ部３９には、電力ライン５０の末端に備えられた正極用の接続端子６０Ａと、ＧＮＤライン５３の末端に備えられた負極用の接続端子６０Ｂとが配置されている。また、電力ライン５０には、駆動制御基板３５から正極用の接続端子６０Ａへと電流が流れることを防止するダイオードＤ１が備えられている。さらには、ダイオードＤ１と駆動制御基板３５との間には二次電池３８の正極が接続され、二次電池３８の負極はＧＮＤに接続されている。
【００２２】
また、受電用コネクタ部３９は、所謂、防水コネクタになっていて、外部電源７０側に備えた相手コネクタとの嵌合部分に防水リングを備えている。そして、受電用コネクタ部３９と相手コネクタとが結合されると、接続端子６０Ａ，６０Ｂと相手接続端子との接続部分が防水状態になる。
【００２３】
一方、通信用コネクタ部４５には、電力ライン５０の末端に備えられた第１の接続端子４５Ａと、信号ライン５１，５２の末端に備えられた第２及び第３の接続端子４５Ｂ，４５Ｃと、ＧＮＤライン５３の末端に備えられた第４の接続端子４５Ｄとが備えられている。ここで、第４の接続端子４５Ｄは、ＧＮＤライン５３を介して前述のＧＮＤに常時接続されている。これに対し、電力ライン５０及び信号ライン５１，５２の途中には、第１〜第３のＡ接点スイッチ４２Ａ，４２Ｂ，４２Ｃが備えられ、通常は、第１〜第３のＡ接点スイッチ４２Ａ，４２Ｂ，４２Ｃがオフ状態になって、第１〜第３の接続端子４５Ａ，４５Ｂ，４５Ｃと駆動制御基板３５との間が遮断されている。
【００２４】
これら第１〜第３のＡ接点スイッチ４２Ａ，４２Ｂ，４２Ｃは、１つのアナログスイッチＩＣ４０（本発明の「スイッチ回路」に相当する）に纏められている。そのアナログスイッチＩＣ４０には、第１〜第３のＡ接点スイッチ４２Ａ，４２Ｂ，４２Ｃに共通する切替入力部４１が備えられ、切替入力部４１に基準電圧以上の電圧が切替用電圧として印加されると、第１〜第３のＡ接点スイッチ４２Ａ，４２Ｂ，４２Ｃがオン状態に切り替わる。そして、外部機器９０から切替入力部４１に切替用電圧を取り込むために、切替入力部４１が導入ライン４４により第１の接続端子４５Ａに接続されている。
【００２５】
なお、図２及び図３においては、アナログスイッチＩＣ４０を簡略化して示していたが、アナログスイッチＩＣ４０の具体的な構成は以下の通りである。即ち、図４に示すように、アナログスイッチＩＣ４０は、第１〜第１１端子４０Ａ〜４０Ｋを有している。これらのうち、第１端子４０Ａはコネクタ部４５の第１の接続端子４５Ａに接続されていて、第１１端子４０ＫはＧＮＤライン５３を介して前述のＧＮＤに常時接続されている。
【００２６】
図４に示すように、第７端子４０Ｇと第８端子４０Ｈとから上述した第１スイッチ部４２Ａが構成されていて、この第１スイッチ部４２Ａは、第２端子４０Ｂからの制御信号に基づいてオンオフされる。また、第３端子４０Ｃと第４端子４０Ｄとから上述した第２スイッチ部４２Ｂが構成されていて、この第２スイッチ部４２Ｂは、第９端子４０Ｉからの制御信号に基づいてオンオフされる。同様に、第５端子４０Ｅと第６端子４０Ｆとから上述した第３スイッチ部４２Ｃが構成されていて、この第３スイッチ部４２Ｃは、第１０端子４０Ｊからの制御信号に基づいてオンオフされる。
【００２７】
そして、第２端子４０Ｂ、第９端子４０Ｉ及び第１０端子４０Ｊは、それぞれ導入ライン４４を介してコネクタ部４５の第１の接続端子４５Ａに接続されていて、外部機器９０から切替用電圧を取り込み可能となっている。これら第２端子４０Ｂ、第９端子４０Ｉ及び第１０端子４０Ｊから上述した切替入力部４１が構成されている。
【００２８】
本実施形態の電動リール１０の構成は以上である。次に、本実施形態の作用効果について説明する。電動リール１０を使用するには、所望の魚種に応じたロッド、釣り糸、釣り針、ルアー等と電動リール１０とを組み合わせる。そして、釣船上に備えられている外部電源７０を受電用コネクタ部３９に接続し、操作ボタン２２を操作して液晶表示器７２に魚種の選択肢を表示させて、そこから魚種を選択する。そして、釣りを開始し、魚がヒットしたら、電動リール１０のモータ操作レバー７５Ｒか巻き取りハンドル１３の何れかを操作して釣り糸を巻き取って魚を釣り上げる。このとき、モータ７５を使用すると、魚種に応じた速度及びトルクでモータ７５が駆動され、魚が釣針から外れる事態（所謂、ばらし）を防ぐことができる。
【００２９】
ここで、電動リール１０の使用中に海水がかかることがある。しかしながら、受電用コネクタ部３９は相手コネクタと結合されることで接続端子６０Ａ，６０Ｂと相手接続端子と接続部分が防水状態になっているので、そこで短絡や漏電等の不具合が生じることはない。また、受電用コネクタ部３９から相手コネクタが外れた状態で受電用コネクタ部３９に海水がかかっても、受電用コネクタ部３９の接続端子６０Ａに繋がる電力ライン５０には、逆流防止用のダイオードＤ１が設けられているので漏電が起きることはない。
【００３０】
一方、通信用コネクタ部４５では、ＧＮＤに接続されている第４の接続端子４５Ｄ以外の第１〜第３の接続端子４５Ａ〜４５Ｃが、アナログスイッチＩＣ４０の第１〜第３のＡ接点スイッチ４２Ａ〜４２Ｃによって駆動制御基板３５から切り離されているので、仮に通信用コネクタ部４５の第１〜第４の接続端子４５Ａ〜４５Ｄの全体が海水に浸っても端子間が短絡することはない。これにより、外部電源７０や二次電池３８の電力が漏電したり端子間で流れるような事態を防ぐことができる。
【００３１】
ところで、電動リール１０にて対応可能な魚種を増やしたい場合、又は、リールコントローラ３０の制御プログラムや設定値をアップデートしたい場合には、電動リール１０を販売している釣具店又は製造元である釣り具メーカーに依頼する。釣具店等では、通信用コネクタ部４５に電動リール１０専用の外部機器９０を接続する。すると、外部機器９０から供給される直流電力の正電圧が第１の接続端子４５Ａから取り込まれてアナログスイッチＩＣ４０の切替入力部４１に切替用電圧として印加され、アナログスイッチＩＣ４０の第１〜第３のＡ接点スイッチ４２Ａ〜４２Ｃがオン状態に切り替わる。これにより、通信用コネクタ部４５の電力ライン５０と信号ライン５１，５２とを介して外部機器９０と駆動制御基板３５とが接続されて通信可能な状態になり、電動リール１０のＲＯＭ３５Ｂに記憶された制御プログラムや設定値を更新することができる。
【００３２】
そして、外部機器９０が通信用コネクタ部４５から外されると、切替用電圧が切替入力部４１に印加されなくなって、第１〜第３のＡ接点スイッチ４２Ａ，４２Ｂ，４２Ｃがオフ状態になる。これにより、その後、電動リール１０を使用した釣りを行ったときに、上述の如く、第１〜第３のＡ接点スイッチ４２Ａ〜４２Ｃによって駆動制御基板３５から切り離された状態になり、通信用コネクタ部４５における短絡及び漏電が確実に防がれる。
【００３３】
このように本実施形態の電動リール１０及びリールコントローラ３０によれば、通信用コネクタ部４５における短絡及び漏電を確実に防ぐことができる。また、第１〜第３のＡ接点スイッチ４２Ａ，４２Ｂ，４２Ｃを備えたアナログスイッチＩＣ４０を使用したことにより、コンパクトにすることができる。さらには、通信用コネクタ部４５に接続されている電力ライン５０及び信号ライン５１，５２のうち電力ライン５０の第１の接続端子４５ＡをアナログスイッチＩＣ４０の切替入力部４１に接続したので、外部機器９０から駆動制御基板３５が受電する電力を利用して、第１〜第３のＡ接点スイッチ４２Ａ，４２Ｂ，４２Ｃをオン状態に保持することができ、信号ライン５１，５２を通して外部機器９０と駆動制御基板３５との間で安定した通信を行うことができる。
【００３４】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３５】
（１）前記実施形態では、アナログスイッチＩＣ４０の切替入力部４１が電力ライン５０の末端の第１の接続端子４５Ａに接続されていたが、例えば、複数の中継ラインが複数の信号ラインを含んでいる場合には、１つの信号ラインの末端の接続端子を切替入力部４１に接続して、外部機器９０からの制御信号によって複数のＡ接点スイッチをオン状態に保持し、他の信号ラインを使用して外部機器９０と駆動制御基板３５との間で通信を行う構成としてもよい。
【００３６】
（２）前記実施形態では、本発明の「コネクタ部」が駆動制御基板３５との間で通信が行われる外部機器９０が接続される通信用コネクタ部であったが、例えば、二次電池３８に充電を行うための充電用コネクタ部であってもよい。この場合、電力ラインにＡ接点スイッチが設けられ、アナログスイッチＩＣを制御するための信号ラインの末端の接続端子が切替入力部４１に接続された構成となることが考えられる。
【００３７】
（３）前記実施形態では、１個のアナログスイッチＩＣで３つの接続回路を切り替える構成であったが、アナログスイッチＩＣを用いずに、３つの接続回路それぞれにＡ接点スイッチを設けて、それらＡ接点スイッチを切替入力部４１により制御する構成であってもよい。
【００３８】
（４）前記実施形態では、第１〜第３のＡ接点スイッチ４２Ａ，４２Ｂ，４２Ｃが１個のアナログスイッチＩＣ４０に配されていたが、複数のアナログスイッチＩＣ４０に分けて配されていてもよい。この場合、図５に示すように、各アナログスイッチＩＣ４０，４０の切替入力部４１，４１を共通の接続端子（例えば、第１の接続端子４５Ａ）に接続することが好ましい。
【００３９】
（５）前記実施形態では、アナログスイッチＩＣとして、複数のＡ接点スイッチがそれぞれ別個の入力端子から入力される制御信号により制御されるものを使用していたが、複数のスイッチが１つの入力端子から入力される制御信号により制御されるものを使用してもよい。
【符号の説明】
【００４０】
１０    電動リール
２０    防水ケース
３０    リールコントローラ
３５    駆動制御基板（制御部）
４０    アナログスイッチＩＣ（スイッチ回路）
４１    切替入力部
４２Ａ〜４２Ｃ    第１〜第３のＡ接点スイッチ
４４    導入ライン
４５    通信用コネクタ部（コネクタ部）
４５Ａ〜４５Ｄ    第１〜第４の接続端子
５０    電力ライン（中継ライン）
５１，５２    信号ライン（中継ライン）
５３  ＧＮＤライン（中継ライン）
７０    外部電源
７５    モータ
９０    外部機器
【図１】
2018019618.tif 000003
【図２】
2018019618.tif 000004
【図３】
2018019618.tif 000005
【図４】
2018019618.tif 000006
【図５】
2018019618.tif 000007